(57)【要約】【課題】複数本のＰＣストランドケーブルの先端に取り付けた吊具の昇降速度を無負荷時には速くして工期短縮を図るようにする。【解決手段】減速機付モータ２５により駆動されるようにした駆動ローラ２２を、ベースフレーム２１上に軸受２３ａ，２３ｂを介して設置する。駆動ローラ２２の上方に、偏心ローラ３８を平行に位置させるように上部フレーム３２の下側に偏心ローラ３８を、偏心させられるように取り付ける。上部フレーム３２側の偏心ローラ３８を、ベースフレーム２１側の駆動ローラ２２に押接させるようにし、偏心ローラ３８と駆動ローラ２２との間に通して挟持させた複数本のＰＣストランドケーブル２を確実に送られるようにする。駆動ローラ２２を回転させると、ＰＣストランドケーブル２が高速で送られ、無負荷時の吊具の昇降速度を速くすることができる。【選択図】　　　　図３
2004035213.tif 000002
【特許請求の範囲】
【請求項１】
上部と下部に複数本の吊り索状物を掴んだり離したりできる定着装置を備え、且つジャッキによる定着装置の上下方向への変位と上下定着装置による交互の定着作用により吊り索状物を送るようにしてある揚重降下装置により吊り索状物を送るようにする重量物昇降に用いる吊り索状物送り装置において、上記複数本の吊り索状物を同時に保持してローラ駆動で送るようにしてあるピンチ送り装置を備え、無負荷時に該ピンチ送り装置のみで吊り索状物を送るようにした構成を有することを特徴とする重量物昇降に用いる吊り索状物送り装置。
【請求項２】
ピンチ送り装置を、駆動ローラと該駆動ローラにより回転させられる偏心ローラとの間に複数本の吊り索状物を一列に並べて保持し、駆動ローラの回転で吊り索状物に送りを与えるようにした請求項１記載の重量物昇降に用いる吊り索状物送り装置。
【請求項３】
駆動ローラをベースフレーム上に設置し、且つベースフレームに対して上下方向へ回動できるようにした上部フレームに偏心ローラを偏心変位できるように支持させ、駆動ローラに対して偏心ローラが上下方向へ移動できるようにした請求項２記載の重量物昇降に用いる吊り索状物送り装置。
【発明の詳細な説明】
【０００１】
【発明の属する技術分野】
本発明は大型重量物取扱工事（たとえば、高炉改修工事の鉄皮解体）、大型ブロック据付工事における大型ブロックの移動等に用いる重量物昇降装置の吊り索状物送り装置に関するもので、詳しくは、無負荷時における吊具の昇降時間を短縮させるようにするため一端に吊具を固定した複数本の吊り索状物をピンチして送るようにする吊り索状物送り装置に関するものである。
【０００２】
【従来の技術】
大型重量物取扱工事（たとえば、高炉改修工事の鉄皮解体）等に用いる重量物昇降装置としては、図７に一例の概略を示す如く、工事現場近くに架台１を設けて、該架台１上に、吊り索状物としてのＰＣストランドケーブル２を案内するためのガイドローラ３付きのフレーム４を設置し、且つ取り扱うべき重量物（図示せず）の上方位置となる上記架台１の前方位置に、揚重降下装置受け梁５を設置し、該受け梁５上に、揚重降下装置６を設置し、更に、該揚重降下装置６と上記架台１上のフレーム４との間に、ＰＣストランドケーブル２を垂直状態から水平の状態に案内するためのガイドローラ７付きのガイドフレーム８を取り付け、ＰＣストランドケーブル２を揚重降下装置６で掴んで昇降させるようにして、該ＰＣストランドケーブル２の先端に固定した吊具９を介して重量物を昇降させるようにしたものが採用されている。
【０００３】
上記従来の重量物昇降装置における揚重降下装置６は、図８（イ）（ロ）（ハ）に示す如き構成としてあって、複数本のＰＣストランドケーブル２を上下のグリッパ１０ａ，１１ａで確実に掴むようにする定着装置１０，１１で交互にＰＣストランドケーブル２を定着させ、油圧ジャッキ１２の操作でＰＣストランドケーブル２を昇降させるようにしてある。すなわち、複数本のＰＣストランドケーブル２を上下方向に貫通させ且つ複数本のＰＣストランドケーブル２を１本ずつ掴めるようにしてある下部グリッパ１１ａで同時に掴んだり、離したりできるようにしてある下部定着装置１１を支持構台１３内に設け、該支持構台１３上に、上下方向に延びるＰＣストランドケーブル２を取り囲むように断面形状をドーナツ形状とした油圧ジャッキ１２のジャッキシリンダ１２ａを設置し、上端にＰＣストランドケーブル２を１本ずつ掴むようにしてある上部グリッパ１０ａによりＰＣストランドケーブル２を掴んだり、離したりできるようにしてある上部定着装置１０が取り付けてあるピストンロッド１２ｃ付きのジャッキピストン１２ｂを、上記ジャッキシリンダ１２ａ内に上下方向へ摺動自在に収納して、ピストンロッド１２ｃの上端部をジャッキシリンダ１２ａの上端より上方へ突出させて、上部定着装置１０を油圧ジャッキ１２で昇降できるようにしてある。
【０００４】
上記従来の重量物昇降装置で重量物を昇降させる場合は、ＰＣストランドケーブル２と吊具９を用意するが、この場合は、図７の如く、先端に吊具９を固定した複数本のＰＣストランドケーブル２を揚重降下装置６内を通して上下の定着装置１０，１１のグリッパ１０ａ，１１ａで掴んで保持させるようにし、揚重降下装置６より上方にあるＰＣストランドケーブル２は、他の工事の障害とならないような位置までガイドするため、ガイドフレーム８上に設けた各ガイドローラ７、フレーム４上に設けた各ガイドローラ３に順次沿わせるようにして、自重で垂れ下げておくようにする。かかる状態から無負荷時に吊具９を重量物の位置まで下降させるときは、揚重降下装置６の操作でＰＣストランドケーブル２を油圧ジャッキ１２のストロークの長さだけ下降させて順次無負荷状態の吊具９を所定の位置まで下げるようにしている。揚重降下装置６によるＰＣストランドケーブル２の下降操作は、図８（イ）の状態で下グリッパ１１ａによりＰＣストランドケーブル２を掴んで保持させると共に、上グリッパ１０ａを解除し、次いで、図８（ロ）の如く、油圧ジャッキ１２を伸長作動させて、ＰＣストランドケーブル２に沿い上グリッパ１０ａを上昇させた後、該上グリッパ１０ａでＰＣストランドケーブル２を掴んで保持させる。次いで、下グリッパ１１ａを解除してから、図８（ハ）の如く油圧ジャッキ１２を短縮作動させてＰＣストランドケーブル２を引き下げるようにする。
【０００５】
ＰＣストランドケーブル２が油圧ジャッキ１２のストローク分引き下げられると、下グリッパ１１ａでＰＣストランドケーブル２を保持させた後、上グリッパ１０ａを解除して図８（イ）の状態にし、かかる操作を繰り返してＰＣストランドケーブル２の送りを行うようにしている。
【０００６】
吊具９が所定位置まで下降されて重量物の位置に達すると、吊具９を重量物に掛け、ＰＣストランドケーブル２で重量物を上昇させるべくＰＣストランドケーブル２を引き上げるようにする。
【０００７】
この場合は、吊具９で重量物を吊った負荷状態であり、揚重降下装置６の上下のグリッパ１０ａ，１１ａによる交互の掴みと油圧ジャッキ１２の伸縮作動によりＰＣストランドケーブル２を少しずつ引き上げることにより重量物を上昇させるようにしている。
【０００８】
【発明が解決しようとする課題】
ところが、上記従来の重量物昇降装置は、ＰＣストランドケーブル２を揚重降下装置６による少量の送りで昇降させて重量物の昇降を行わせるものであるため、重量物を吊具９で吊るために無負荷時、すなわち、吊具９のみを目的位置まで送る場合にも、従来の方式では、揚重降下装置６によるＰＣストランドケーブル２の送りであるため、同じ時間を要しており、油圧ジャッキ１２の能力を上げても、揚重降下装置６による昇降速度を極端に速くすることはできない。又、上記揚重降下装置６から各ガイドローラ７，３に沿わされて垂下されているＰＣストランドケーブル２は、自重にまかせてあるため、揚重降下装置６によりＰＣストランドケーブル２を送り出して吊具９を下降させたり、ＰＣストランドケーブル２を引き上げて吊具９を上昇させるとき、ガイドローラ３，７に沿い移動するＰＣストランドケーブル２が円滑に移動しているか監視する必要があり、又、ＰＣストランドケーブル２がからみ合ったり、重なり合ったりすると、これを修正する介添えが必要であり、監視や修正のための多くの作業員を必要とする問題があった。
【０００９】
そこで、本発明は、無負荷時に吊具を目的の位置まで揚重降下装置によらないで短時間に送り出すようにして工期の短縮を図るようにし、且つ吊り索状物としてのＰＣストランドケーブルを昇降させるときの該ＰＣストランドケーブルの監視や修正の人手を減少させることができるようにしようとするものである。
【００１０】
【課題を解決するための手段】
本発明は、上記課題を解決するために、上部と下部に複数本の吊り索状物を掴んだり離したりできる定着装置を備え、且つジャッキによる定着装置の上下方向への変位と上下定着装置による交互の定着作用により吊り索状物を送るようにしてある揚重降下装置により吊り索状物を送るようにする重量物昇降に用いる吊り索状物送り装置において、上記複数本の吊り索状物を同時に保持してローラ駆動で送るようにしてあるピンチ送り装置を備え、無負荷時に該ピンチ送り装置のみで吊り索状物を送るようにした構成とする。
【００１１】
無負荷時は、ピンチ送り装置で吊り索状物を送るようにすることにより、吊り索状物を速く送ることができて、吊具を短時間に目的の位置まで昇降でき、工期の短縮を図ることができる。
【００１２】
又、ピンチ送り装置を、駆動ローラと該駆動ローラにより回転させられる偏心ローラとの間に複数本の吊り索状物を一列に並べて保持し、駆動ローラの回転で吊り索状物に送りを与えるようにした構成とすることにより、複数本の吊り索状物を均等に且つ円滑に送ることができ、吊り索状物がからみ合ったり、重なり合ったりすることがなく、監視と修正をする人手を減らすことができる。
【００１３】
ピンチ送り装置の駆動ローラをベースフレーム上に設置し、且つベースフレームに対して上下方向へ回動できるようにした上部フレームに偏心ローラを偏心変位できるように支持させ、駆動ローラに対して偏心ローラが上下方向へ移動できるようにした構成とすることにより、複数本の吊り索状物を、ピンチ送り装置に容易に組み入れることができる。すべり止めとして上記駆動ローラと偏心ローラにゴムラギングを施すと、吊り索状物を傷つけることもなくなる。更に、ロック装置のロック解除をターンバックルを用いて行うことにより、簡単にロック解除を行うことができる。
【００１４】
【発明の実施の形態】
以下、本発明の実施の形態を図面を参照して説明する。
【００１５】
図１乃至図６は本発明の実施の一形態を示すもので、図７に示した従来の重量物昇降装置の如き、架台１の前方位置に揚重降下装置受け梁５を設けて、該受け梁５上に揚重降下装置６を設置し、図８に示す如く、該揚重降下装置６により複数本の吊り索状物としてのＰＣストランドケーブル２を確実に上下の定着装置１０，１１における各グリッパ１０ａ，１１ａで交互に掴み、油圧ジャッキ１２の伸縮によりＰＣストランドケーブル２を昇降させるようにしてある構成において、架台１上に、複数本（たとえば、１５本又は３１本）のＰＣストランドケーブルピンチ装置１４と、ＰＣストランドケーブル２を横一列に整列させて案内するため上端縁部にくし歯状の凹凸を形成した２枚のくし歯状ガイド板１５と、２つのガイドローラ１６とをＰＣストランドケーブルピンチ送り装置１４を挟んで前後位置にくし歯状ガイド板１５とガイドローラ１６を配置した状態で搭載した支持台１７を、固定台１８を介して設置し、又、揚重降下装置６の上端部に、複数本のＰＣストランドケーブル２を横一列に整列させて上下方向にガイドするための２本のガイドローラからなるガイド装置１９と複数本のＰＣストランドケーブル２が並ぶ方向の両側にガイドローラ２０を設ける。
【００１６】
上記ＰＣストランドケーブルピンチ送り装置１４は、図３乃至図６に詳細を示す如く、前後方向に延びる支持台１７上に支持させて平行に配した左右方向へ延びるベースフレーム２１上に、表面にゴムラギングを施し且つ横一列に整列させた複数本（図では１５本）のＰＣストランドケーブル２を後述する上部偏心ローラとの間で挟持できるような長さを有する下部駆動ローラ２２の軸受２３ａ，２３ｂを、左右方向に所要間隔を隔てて設置した支持ビーム２４ａ，２４ｂ上に支持させて、該軸受２３ａ，２３ｂに下部駆動ローラ２２の両軸端を回転自在に支持させ、ベースフレーム２１上に設置した減速機付モータ２５の出力軸２６と上記下部駆動ローラ２２の一端側の軸２７とを、軸継手２８にて連結し、モータ２５の動力を減速して下部駆動ローラ２２に伝えて、下部駆動ローラ２２を回転駆動させるようにする。又、上記減速機付モータ２５と軸受２３ａとの間の位置のベースフレーム２１上に、前後方向に相対峙するように支柱２９を立設して、該前後の支柱２９の上端部間に、上記軸継手２８の上方位置を前後方向に延びるように固定軸３０を水平に取り付け、更に、上記下部駆動ローラ２２を挟む前後位置の左右両側部に、該駆動ローラ２２に沿わされるＰＣストランドケーブル２が左右方向へずれることなく送られるようにするためのサイドガイド用ポール３１を、駆動ローラ２２よりも高い位置に達するように設ける。
【００１７】
一方、平面形状がコの字状になるようにビーム３２ａ，３２ｂ，３２ｃを組み付けて構成してなる上部フレーム３２の中間部位置に、前後方向に延びるビーム３３を前後のビーム３２ａ，３２ｂ間に固定し、該ビーム３３と前後方向に延びる別のビーム３２ｃの各中央部下面に軸受３４ａ，３４ｂを取り付けるようにすると共に、上記ビーム３３の近傍位置における前後のビーム３２ａ，３２ｂ間に支持プレート３５を取り付けて、該支持プレート３５の両端部の下面にブラケット３６，３７を下向きに取り付け、該ブラケット３６，３７に、前記水平に延びる固定軸３０を回転自在に通すことによって上部フレーム３２とベースフレーム２１側とを連結し、上記固定軸３０を中心に上部フレーム３２を上下方向へ回動させることにより、上部フレーム３２の一端側が上方へ開くことができるようにする。
【００１８】
上記上部フレーム３２のビーム３２ｃ，３３の下面に取り付けた軸受３４ａ，３４ｂには、表面にゴムラギングを施した偏心ローラ３８の軸３９を回転自在に支持させ、前後いずれかのビーム３２ａ又は３２ｂ上に取り付けたシリンダ支持装置４０に支持される上下方向のシリンダ４１のロッド先端（下端）を、偏心ローラ３８の一端側の軸３９の端部に固定したレバー４２の先端にピン枢着して連結し、シリンダ４１の伸縮作動によりレバー４２を介して偏心ローラ３８が回転させられ、下部駆動ローラ２２への押付力が付与されるようにし、又、上記固定軸３０を中心に上部フレーム３２を回動させることにより、偏心ローラ３８が上下方向へ変位させられ、下部駆動ローラ２２と偏心ローラ３８の間へのＰＣストランドケーブル２の組み入れ、両ローラ２２，３８間からの取り外しが容易にできるようにする。
【００１９】
更に、上記支持フレーム３２のロック装置４３を、上部フレーム３２とベースフレーム２１側との間に設ける。ロック装置４３は、上部フレーム３２のビーム３２ｃ中央部上面に取り付けたブラケット４４に、レバー４５の末端部をピン４６により回転自在に取り付け、該レバー４５の末端部に前後方向へ延びるリンク４７ａ，４７ｂの各一端をピン５６にて回転自在に取り付け、且つリンク４７ａ，４７ｂの各他端部に、下端部に鉤部４９を有する係止用アーム４８ａ，４８ｂの各上端をピン５７にて回動自在に連結して、該係止用アーム４８ａ，４８ｂの各中間部を、上部フレーム３２側のピン５０に回転自在に取り付け、レバー４５をビーム３２ｃ上のガイド５８に沿わせてピン４６を中心に回動させることにより、リンク４７ａ，４７ｂを介して係止用アーム４８ａ，４８ｂがピン５０を中心に回動できるようにし、一方、上記係止用アーム４８ａ，４８ｂの鉤部４９を係止させてロックさせるために、上端部に係止用の孔又は切欠５１を有する係止片５２をベースフレーム２１側に固定して備えてなる構成とし、上部フレーム３２を水平状態にした後、レバー４５を操作して係止用アーム４８ａ，４８ｂを閉じるようにすることにより、鉤部４９が係止片５２の孔又は切欠５１に係止してロックできるようにする。更に、上記ロック装置４３を解除するときの助成をするためのターンバックル５３を、上記上部フレーム３２のビーム３２ｃ中央部に取り付けたフック５４と、下部駆動ローラ用軸受２３ｂの支持ビーム２４ｂ中央部に取り付けたフック５５に掛けて備えるようにする。
【００２０】
今、図１に示す如き先端に吊具９を取り付けたＰＣストランドケーブル２を揚重降下装置６内を通して上下の定着装置１０，１１の各グリッパ１０ａ，１１ａで掴み、揚重降下装置６の操作でＰＣストランドケーブル２を送るようにしてある状態において、本発明のピンチ送り装置を適用するときは、揚重降下装置６頂部のガイド装置１９で複数本のＰＣストランドケーブル２を一列に並べてガイドするようにし、更に、一列に整列された複数本のＰＣストランドケーブル２をピンチ送り装置１４の上部の偏心ローラ３８と下部の駆動ローラ２２との間に通して挟持させるようにする。この場合は、先ず、ターンバックル５３を上下のフック５４，５５から外し、レバー４５を図５の実線の状態から二点鎖線の方向へ回動させ、係止用アーム４８ａ，４８ｂをピン５０を中心に開かせて、該係止用アーム４８ａ，４８ｂと係止片５２とのロックを解除させる。
【００２１】
この状態で上部フレーム３２を固定軸３０を中心にロック装置４３側が上方へ移動するように回動させ、偏心ローラ３８と駆動ローラ２２との間を大きく開かせ、一列に一直線状に並べられた複数本のＰＣストランドケーブル２を、下部駆動ローラ２２上に組み入れ載置させると共に、前後のくし歯状ガイド板１５の各ガイド部に各ＰＣストランドケーブル２を沿わせるようにする。
【００２２】
下部の駆動ローラ２２上に複数本のＰＣストランドケーブル２が横一列に並べられて載せられ且つ前後のくし歯状ガイド板１５に沿わされて各ＰＣストランドケーブル２が均等に送られるようにセットされると、上部フレーム３２を固定軸３０を中心に回動させて、ロック装置４３側を下げ、偏心ローラ３８を駆動ローラ２２の上に正しく設置されるようにする。しかる後、ロック装置４３のレバー４５を図５の二点鎖線の位置から実線の位置へ操作し、係止用アーム４８ａ，４８ｂを閉じて鉤部４９を係止片５２に係止させてロックし、偏心ローラ３８と駆動ローラ２２との間に複数本のＰＣストランドケーブル２を挟持させるようにする。
【００２３】
次に、シリンダ４１を作動させてレバー４２を介して偏心ローラ３８の軸３９を回転させ、偏心ローラ３８が図６に示す二点鎖線の状態で駆動ローラ２２の上面に押接されるようにする。
【００２４】
上記の状態でモータ２５を駆動して駆動ローラ２２を減速して回転させ、追従して回転する偏心ローラ３８との間で複数本のＰＣストランドケーブル２に送りを与えるようにする。この際、駆動ローラ２２、偏心ローラ３８は、ゴムラギングが施してあるので、鋼線としてのＰＣストランドケーブル２を傷つけるおそれはない。
【００２５】
本発明では、無負荷時にＰＣストランドケーブル２を送って吊具９を目的の吊り点位置まで下降させるときは、揚重降下装置６の上下の定着装置１０，１１を解除してフリーの状態にし、複数本のＰＣストランドケーブル２はピンチ送り装置１４の上下の偏心ローラ３８と駆動ローラ２２との間で保持して、ピンチ送り装置１４の運転のみでＰＣストランドケーブル２の送りを行うようにする。ＰＣストランドケーブルピンチ送り装置１４は、駆動ローラ２２を回転させることにより連続的にＰＣストランドケーブル２を送ることができるので、ＰＣストランドケーブル２を高速度で送ることができて、無負荷時の吊具９を素速く目的の重量物吊り位置まで持って行くことができる。この際、上部フレーム３２には偏心ローラ３８を介して大きな反力が作用しているが、ロック装置４３により受けられている。無負荷で吊具９を上昇させるときも同様にピンチ送り装置１４のみで行う。因に、ピンチ送り装置１４による吊具９の昇降速度は、約１．０ｍ／ｍｉｎであり、従来の揚重降下装置６による昇降速度約０．１ｍ／ｍｉｎに比して約１０倍速くすることができる。
【００２６】
上記ピンチ送り装置１４によるＰＣストランドケーブル２の保持と送りにより、架台１の上方部ではＰＣストランドケーブル２を円滑に移動させることができて、ＰＣストランドケーブル２の監視や修正に要する人手を大幅に減らすことができる。
【００２７】
吊具９で重量物を吊り、重量物を昇降させる負荷時においては、揚重降下装置６を作動させて、従来の場合と同様にＰＣストランドケーブル２を少しずつ送りながら重量物の昇降を行わせるが、この場合でも、ピンチ送り装置１４は作動させて、ＰＣストランドケーブル２の保持と送りを行わせるようにする。これにより、負荷時においても、揚重降下装置６以降のＰＣストランドケーブル２を円滑に送ることができて、上述した無負荷時と同様に、ＰＣストランドケーブル２の監視と修正に要する人手を大幅に減らすことができる。
【００２８】
重量物の昇降作業が終了したとき、あるいは、無負荷時の吊具の昇降作業中に複数本のＰＣストランドケーブル２が不揃いで均等に送られないような事態が発生したような場合は、ロック装置４３を解除して上部フレーム３２を上方へ開き、偏心ローラ３８を持ち上げて駆動ローラ２２との間よりＰＣストランドケーブル２を外すようにするが、ロック装置４３は、偏心ローラ３８を介して反力を受けている上部フレーム３２をベースフレーム２１側にロックしているものであり、係止用アーム４８ａ，４８ｂの先端の鉤部４９と係止片５２の孔又は切欠５１との係止状態は堅いものとなっている。そのため、レバー４５を操作しても、係止用アーム４８ａ，４８ｂが係止片５２から離れる方向へ回動し難い状態になっている。かかるロック状態を解除し易くするため、上下のフック５４，５５に掛けたターンバックル５３により上下のフック５４，５５を引き寄せる方向に締めるようにして、係止用アーム４８ａ，４８ｂの先端の鉤部４９を係止片５２との係止状態を緩めるようにした後、レバー４５を操作して係止用アーム４８ａ，４８ｂを開いてロックを解除させる。これにより、ロック解除に強い力を必要とするロック装置をターンバックル５３で簡単に緩めることができて容易にロック解除を行うことができる。ロック解除後は、ターンバックル５３を緩め、且つ該ターンバックル５３を上部のフック５４より取り外すようにする。
【００２９】
なお、本発明は上記実施の形態にのみ限定されるものではなく、たとえば、図３及び図４において、偏心ローラ３８を回転変位させるシリンダ４１を上下方向に取り付けた場合を示したが、レバー４２を前後方向に回動できるようにして、シリンダ４１を横方向に設置するようにしてもよいこと、揚重降下装置６を複数並べて設置し、重量物を複数の揚重降下装置６で同時に昇降させるようにしてある場合においては、各揚重降下装置６ごとにＰＣストランドケーブルピンチ送り装置１４を設置して用いればよいこと、又、該ピンチ送り装置１４の設置位置は任意であること、その他本発明の要旨を逸脱しない範囲内において種々変更を加え得ることは勿論である。
【００３０】
【発明の効果】
以上述べた如く、本発明の重量物昇降に用いる吊り索状物送り装置によれば、次の如き優れた効果を奏し得る。
（１）上部と下部に複数本の吊り索状物を掴んだり離したりできる定着装置を備え、且つジャッキによる定着装置の上下方向への変位と上下定着装置による交互の定着作用により吊り索状物を送るようにしてある揚重降下装置により重量物の昇降を行わせるようにしてある重量物昇降に用いる吊り索状物送り装置において、上記複数本の吊り索状物を同時に保持してローラ駆動で送るようにしてあるピンチ送り装置を備え、無負荷時に該ピンチ送り装置のみで吊り索状物を送るようにした構成としてあるので、無負荷時の吊り索状物の送りは、ピンチ送り装置の運転のみで行い、負荷時は揚重降下装置で重量物の昇降を行いながらピンチ送り装置で吊り索状物を保持していることから、無負荷時の吊り索状物の送り速度を速くすることができて吊具の昇降速度が速くなって工期の短縮を図ることができる。
（２）ピンチ送り装置を、駆動ローラと該駆動ローラにより回転させられる偏心ローラとの間に複数本の吊り索状物を一列に並べて保持し、駆動ローラの回転で吊り索状物に送りを与えるようにした構成とすることにより、無負荷時でも負荷時でも、複数本の吊り索状物を一直線状に並べ保持して送ることができて、複数本の吊り索状物を均等に且つ円滑に送ることができ、吊り索状物がからみ合ったり、重なり合ったりすることがなく、監視と修正をする人手を減らすことができる。
（３）ピンチ送り装置の駆動ローラをベースフレーム上に設置し、且つベースフレームに対して上下方向へ回動できるようにした上部フレームに偏心ローラを偏心変位できるように支持させ、駆動ローラに対して偏心ローラが上下方向へ移動できるようにすることにより、複数本の吊り索状物を、ピンチ送り装置に容易に組み入れたり、外したりすることができると共に、複数本の吊り索状物を均等に送るように容易に調整することができる。
【図面の簡単な説明】
【図１】本発明の実施の一形態を示す概略側面図である。
【図２】図１におけるＰＣストランドケーブルピンチ送り装置の平面図である。
【図３】図２のＩＩＩ方向矢視図である。
【図４】図３のＩＶ方向矢視図である。
【図５】図３のＶ方向矢視図である。
【図６】駆動ローラと偏心ローラの関係を示す図である。
【図７】従来の重量物昇降装置の一例を示す概略側面図である。
【図８】揚重降下装置の作動原理を示すもので、（イ）（ロ）（ハ）は作動状態図である。
【符号の説明】
２　ＰＣストランドケーブル（吊り索状物）
６　揚重降下装置
９　吊具
１０　上部定着装置
１１　下部定着装置
１２　油圧ジャッキ
１４　ＰＣストランドケーブルピンチ送り装置
１５　くし歯状ガイド板
２１　ベースフレーム
２２　下部駆動ローラ
２５　減速機付モータ
３０　固定軸
３２　上部フレーム
３８　偏心ローラ
４１　シリンダ
４２　レバー
４３　ロック装置
４５　レバー
４７ａ，４７ｂ　リンク
４８ａ，４８ｂ　係止用アーム
４９　鉤部
５０　係止片
５３　ターンバックル
【図１】
2004035213.tif 000003
【図２】
2004035213.tif 000004
【図３】
2004035213.tif 000005
【図４】
2004035213.tif 000006
【図５】
2004035213.tif 000007
【図６】
2004035213.tif 000008
【図７】
2004035213.tif 000009
【図８】
2004035213.tif 000010